(57)【要約】【課題】１つのテンプレートに複数の画像データを配置してアルバムデータを作成する際に、１つのテンプレートに配置した複数の画像データの属性等の情報に基づいて、ブランクに配置すべき画像データをユーザーに提示する画像表示装置を提供する。【解決手段】画像表示装置１００は、複数の画像データを記憶する記憶部１０４と、画像データをテンプレートに配置して合成し、表示可能な表示部１１０と、記憶部１０４から前記画像データを少なくとも２枚以上選択し、当該画像データをテンプレートに配置して１つの合成画像を表示部１１０に表示する際のページデータを複数有するアルバムデータの作成を行うアルバム編集部１１４と、テンプレートに配置された画像データの属性を抽出する画像処理部１０３と、ページデータによる合成画像において、画像データとテンプレートの画像データの配置されていない領域を検出し、画像データの属性を表示する構成である。【選択図】図１
2010134216.tif 000002
【特許請求の範囲】
【請求項１】
複数の画像データを記憶する記憶部と、
前記画像データをテンプレートに配置して合成し、表示可能な表示部と、
前記テンプレートに配置された前記画像データから、前記画像データの属性を抽出する画像処理部と、
前記記憶部から前記画像データを少なくとも２枚以上選択し、当該画像データを前記テンプレートに配置して１つの合成画像を表示部に表示する際のページデータからなるアルバムデータの作成を行い、前記ページデータにより表示される前記合成画像において、前記画像データ及び前記画像データの配置されていない領域を検出し、かつ前記画像処理部により抽出された前記画像データの前記属性を前記画像データの配置されていない領域に表示するように構成されたアルバム編集部と、
を有する画像表示装置。
【請求項２】
前記画像処理部は、前記画像データの色情報、顔情報及び撮影日時情報のいずれかに基づいて前記属性を抽出する構成を有する請求項１の画像表示装置。
【請求項３】
前記アルバム編集部は、前記記憶部から前記属性を有する画像データを選択して、前記画像データの配置されていない領域に配置する構成を有する請求項２に記載の画像表示装置。
【請求項４】
光学系及び当該光学系で結像された像を検出する撮像素子を備え、当該撮像素子で検出された像を前記画像データとして出力する撮像部と、請求項１〜３のいずれか一項に記載の画像表示装置と、を有し、
前記アルバム編集部が前記画像データの前記属性を前記画像データの配置されていない領域に表示した際に、前記画像処理部により前記撮像素子で検出された前記像の属性を解析し、
前記撮像部は、前記撮像素子で検出された前記像の当該属性と、前記テンプレートに配置された前記画像データの前記属性と、を比較して、前記テンプレートに配置された前記画像データの前記属性を有する前記像を前記画像データとして出力する構成を有し、
前記アルバム編集部は、前記撮像部が出力した当該画像データを前記画像データの配置されていない領域に配置するデジタルカメラ。
【発明の詳細な説明】
【技術分野】
【０００１】
本発明は、画像表示装置及び画像表示装置を有するデジタルカメラに関する。
【背景技術】
【０００２】
近年、銀塩カメラに替わり、デジタルカメラが主流になってきており、それに伴い、撮影された画像の観賞方法も多様化している。このデジタルカメラには、アルバム等の画像を作成する機能が付加されているものもある。例えば、画像を撮像する際に、写真の額縁のような枠組みが表示部に表示され、デジタルカメラで画像が撮像されると、その撮像された画像に、枠が合成され、この合成後の画像のデータと、撮像した合成前の画像のデータとが保存できるものもある。また、通信が可能な機器に付加されたカメラを用いる場合に、この機器がアクセス可能なサーバーに、種々のイベントに対するデザインテンプレートの情報を記憶させておき、ユーザーは、その機器からサーバーにアクセスして、イベントを指定すると、サーバーがそのイベントに適するデザインテンプレートの情報を基に、撮影する必要のある画像データの情報をユーザーの機器に送信し、ユーザーがその情報に基づいて、この機器に付属するカメラで画像を取得する方法などが開示されている（例えば特許文献１）。
【特許文献１】特開２００７−２２６６０７号公報
【発明の開示】
【発明が解決しようとする課題】
【０００３】
しかし、これらは、いずれも１画像に対する、テンプレートと撮影した画像データの合成を行うものであり、複数の画像データを１つのテンプレートに配置して、アルバムデータを作成するものでは無い。そのため、複数の画像データを１つのテンプレートに配置したい場合には、ユーザーが、その配置する画像データの属性等（撮影日時などの情報）に基づいて、記憶されている画像データの中から必要な枚数の画像データを選択しなければならないとの課題があった。
【０００４】
本発明は、このような課題に鑑みてなされたものであり、複数の画像データを１つのテンプレートに配置して合成し、１つの画面に合成画像として表示する際のページデータにおいて、この合成画像に画像データが配置されていない領域がある場合に、この合成画像を構成する他の画像データの属性等の情報に基づいて、画像データが配置されていない領域に配置すべき画像データの属性を示すように構成された画像表示装置及び画像表示装置を有するデジタルカメラを提供することを目的とする。
【課題を解決するための手段】
【０００５】
前記課題を解決するために、本発明に係る画像表示装置は、複数の画像データを記憶する記憶部と、画像データをテンプレートに配置して合成し、表示可能な表示部と、テンプレートに配置された画像データから、画像データの属性を抽出する画像処理部と、記憶部から画像データを少なくとも２枚以上選択し、当該画像データをテンプレートに配置して１つの合成画像を表示部に表示する際のページデータからなるアルバムデータの作成を行い、ページデータにより表示される合成画像において、画像データ及び画像データの配置されていない領域を検出し、かつ画像処理部により抽出された画像データの属性を画像データの配置されていない領域に表示するように構成されたアルバム編集部と、を有する。
【０００６】
このような画像表示装置において、画像処理部は、画像データの色情報、顔情報及び撮影日時情報のいずれかに基づいて属性を抽出する構成を有することが好ましい。
【０００７】
このような画像表示装置において、アルバム編集部は、記憶部から属性を有する画像データを選択して、画像データの配置されていない領域に配置する構成を有することが好ましい。
【０００８】
前記課題を解決するために、本発明に係るデジタルカメラは、光学系及び当該光学系で結像された像を検出する撮像素子を備え、当該撮像素子で検出された像を画像データとして出力する撮像部と、上記いずれかの画像表示装置と、を有し、アルバム編集部が画像データの属性を画像データの配置されていない領域に表示した際に、画像処理部により撮像素子で検出された像の属性を解析し、撮像部は、撮像素子で検出された像の当該属性と、テンプレートに配置された画像データの属性と、を比較して、テンプレートに配置された画像データの属性を有する像を検出したときに画像データとして出力する構成を有し、アルバム編集部は、撮像部が出力した当該画像データを画像データの配置されていない領域に配置する。
【発明の効果】
【０００９】
本発明に係る、画像表示装置及び画像表示装置を有するデジタルカメラを以上のように構成すると、１つのテンプレートに複数の画像データを配置する合成画像を表示部に表示する際のページデータにおいて、ページデータに配置された画像データの属性等の情報に基づいて、ページデータ内の画像データの配置されていない領域に配置すべき画像データの属性をユーザーに提供すことができるので、ユーザーが煩雑な工程を行うことなく、アルバムデータの作成ができる。
【発明を実施するための最良の形態】
【００１０】
以下、本発明の好ましい実施形態について図面を参照して説明する。図１に示すように、デジタルカメラ１１３は、本実施形態にかかる画像表示装置１００と、レリーズスイッチ１０６と、図示しない光学系（光学レンズ）や撮像素子を有する撮像部１１２と、メモリ１０１と、を有している。
【００１１】
画像表示装置１００は、ユーザーからの指示を受け付ける画像出力開始スイッチ１０９と、記憶部１０４に記憶された画像データやテンプレートを用いて、アルバムデータを作成するアルバム編集部１１４と、アルバム作成モードスイッチ１１１から出力された信号を制御するスイッチ制御部１０７と、画像処理部１０３やメモリ１０１に画像データを保存するなどの制御を行い、かつ、制御全体を司る撮影装置制御部１０２と、画像データ等を表示するタッチパネル付き表示部１０５と、を有している。また、画像表示装置１００は、外部端子１０８を介して表示部１１０が接続できるようになっている。
【００１２】
画像表示装置１００のスイッチ制御部１０７は、画像出力開始スイッチ１０９、レリーズスイッチ１０６、及びアルバム作成モードスイッチ１１１から出力された信号を制御して、撮影装置制御部１０２にその信号を送る。その信号を受け取ると、撮影装置制御部１０２は、その信号に基づいて、撮像部１１２、画像処理部１０３、アルバム編集部１１４等の各動作を制御するように構成されている。
【００１３】
それでは、このような構成の本実施の形態のデジタルカメラ１１３の画像表示装置１００において、実行される画像データの属性解析、アルバムデータの作成及び編集、候補画像データの情報提示の各工程について、図面を参照して説明する。
【００１４】
（画像データの属性解析）
統一感のあるアルバムデータを作成するために、画像処理部１０３がデジタルカメラ１１３により画像データを新規に撮像した際に、その新規に撮像された画像データに対して、画像解析処理を行い、その解析処理の結果が、記憶部１０４に写真解析情報ファイル１１５として記憶される。写真解析情報ファイル１１５は、図２に示すようなデータ構造を有しており、解析の順番を記憶する写真解析情報Ｎｏデータカラム１１５ａ、後述するアルバムデータとの対応付けのためのオブジェクトＮｏが記憶されるオブジェクトＮｏデータカラム１１５ｂ、その画像データの取得日時の情報が記憶される日時情報データカラム１１５ｃ、画像データの顔検出情報に基づいて算出されるこの画像データに占める顔の割合の情報である顔の割合データカラム１１５ｄ、画像データの色解析による色分類の情報が記憶される色分類情報データカラム１１５ｅ、及び色分類信頼度データカラム１１５ｆが、１つのファイルとして構成されている。このオブジェクトＮｏデータカラム１１５ｂのデータは、複数のページからなるアルバムデータにおいて、何ページ目のテンプレートのどこに配置されるかなどを示すデータと関連付けるためのデータであり、このオブジェクトＮｏデータカラム１１５ｂのデータによりアルバムデータ等が管理される。なお、各ページのアルバムデータを以降の説明では、「ページデータ」と呼ぶ。
【００１５】
画像解析の処理の工程は、図３に示すように、デジタルカメラ１１３で画像を撮像する際に行われる。まず、ユーザーがレリーズスイッチ１０６を押下すると、その信号がスイッチ制御部１０７に送られ、スイッチ制御部１０７は、システムの動作を撮影モードに移行し、撮像部１１２が、光学レンズで結像した被写体の像を撮像素子により撮像して画像データとして出力し、その画像データをメモリ１０１に保存する。このメモリ１０１に蓄えられた画像データは、画像表示装置１００内の画像処理部１０３により、縮小／拡大やその他の各種画像処理を施され、タッチパネル付き表示部１０５に表示されると共に、記憶部１０４の画像データファイルにＤＣＦ規格に準拠した画像フォーマット（日本電子工業振興協会（ＪＥＩＤＡ）で規格されたＥｘｉｆ（Ｅｘｃｈａｎｇｅａｂｌｅ  ｉｍａｇｅ  ｆｉｌｅ  ｆｏｒｍａｔ）等のデータ構造）の形式で記憶される。つまり、画像データそのものと、撮影時刻情報や顔検出情報やサムネイルデータなどの属性情報が画像データファイルとして記憶部１０４に記憶される。次に画像処理部１０３は、記憶部１０４の画像データファイルを参照し、Ｅｘｉｆ情報を読み込む（ステップＳＴ１０）。そして、画像処理部１０３は、Ｅｘｉｆ情報から日時情報を取得し、記憶部１０４の写真解析情報ファイル１１５の日時情報データカラム１１５ｃに記憶する（ステップＳＴ１１）。この日時情報は、年月日情報であり、「ＹＹＹＹ／ＭＭ／ＤＤ    ＴＴ」などの形式で記憶される（図２参照）。又、画像処理部１０３は、Ｅｘｉｆ情報から顔検出情報を取得し、顔検出情報の写真の大きさに占める顔の割合を算出する（ステップＳＴ１２）。顔の割合は、画像データ全体の面積中において、顔検出された顔の面積の割合を求めることで算出できる。顔の面積は、Ｅｘｉｆ情報の顔検出情報において、顔の大きさの矩形情報（縦横幅）から、顔の面積を算出し、顔の個数分の面積を加算して求められる。ここで、矩形情報が重なって得られた場合には、それらの重なり部分は、重複して加算しない構成であり、この情報は、記憶部１０４の写真解析情報ファイル１１５の顔の割合データカラム１１５ｄに記憶される。
【００１６】
次に、画像処理部１０３は、画像データに対し、ＹＣｂＣｒ（Ｙは輝度（明るさ）、Ｃｂは青、Ｃｒは赤を示す）のそれぞれの成分でヒストグラム化し、一番出現頻度の高い値を各成分の代表値とする。記憶部１０４には、色分けを行う為の閾値テーブルが記憶されているので、この閾値テーブルとその代表値を照らし合わせ、ＲＧＢに振り分けを行い色分類する。そして、画像処理部１０３は、このヒストグラムの代表値の出現割合（ＹＣｂＣｒ成分それぞれのヒストグラム中の出現割合の平均）を色分類の信頼度とする（ステップＳＴ１３）。画像処理部１０３は、上述のステップで得られた画像データのＲＧＢへの色分類を写真解析情報ファイル１１５の色分類情報データカラム１１５ｅに記憶し、色分類の信頼度を色分類信頼度データ１１５ｆに記憶する（ステップＳＴ１４）。以上の工程により、画像データの属性解析が終了し、以降の工程において、この画像データの属性を使用して、アルバムデータの作成等の処理が行われる。このような画像解析が、画像データ毎に行われるので、アルバム編集部１１４は、この画像解析処理の結果を利用してアルバムデータを作成するので、１つのテンプレートに配置する画像データの選択が容易に行える。
【００１７】
（アルバムデータの作成及び編集）
次に、アルバムデータの作成及び編集工程について図６を示して説明する。先づ、この工程で作成及び編集可能なアルバムデータのデータ構造について説明すると、アルバムデータは、図９、図１０で示すように、アルバムファイル１２０と、アルバムデータファイル１２１で管理され記憶部１０４に記憶されている。このアルバムデータは、アルバムのタイトル毎にアルバム番号が付されているので、アルバムファイル１２０において、アルバム番号が記憶されているアルバム番号カラム１２０ａと、そのタイトルが記憶されているタイトルデータカラム１２０ｂとのデータ構造を有する（図９参照）。個々のアルバムデータは、アルバムデータファイル１２１のデータ構造を有し、テンプレートの種別とオブジェクトの配置情報等で構成されており、アルバム毎に付されたアルバム番号と関連付けて管理されている。したがって、アルバム編集を行う際には、ユーザーは、編集したいアルバムデータをタイトル若しくはアルバム番号を指定すると、その指定されたアルバムデータが、記憶部１０４から読み出され、後述するアルバムデータの編集が可能となる。
【００１８】
また、このアルバムデータファイル１２１のデータは、複数のページデータから構成されており、表示部１１０に表示される際には、１ページデータが１つの合成画像として表示される。アルバムデータファイル１２１の各ページデータは、テンプレートに１以上の画像データが配置され、ユーザーによって編集されたオブジェクトの情報等も表示できる。本実施形態においては、アルバムデータの１ページ（ページデータ）を構成する各部品をオブジェクトデータと定義する。オブジェクトの種類は、写真、ブランク、フリーハンドお絵かき、キャラクター等である。アルバムデータファイル１２１は、アルバム番号を記憶するアルバム番号カラム１２１ａと、オブジェクト番号を記憶するオブジェクト番号データカラム１２１ｂと、各オブジェクトの種類が記憶されるオブジェクト種別カラム１２１ｃと、オブジェクトデータカラム１２１ｄと、ページ情報データカラム１２１ｅと、オブジェクトの配置情報を記憶する配置情報カラム１２１ｆと、テンプレートの種別を記憶するテンプレート種別データカラム１２１ｇと、を有する（図１０）。具体的には、オブジェクトデータカラム１２１ｄには、写真の場合は、画像データのファイル名（例えば、「ＤＳＣ＿０００１．ｊｐｇ」など）が記憶され、フリーハンドのお絵かきが実行されていた場合には、その情報が「お絵かきデータ１」として記憶され、キャラクターやブランクのデータの場合は、各テンプレートに対し、オブジェクトデータの初期値として設定されている各情報が記憶されるようになっている。また、ページ情報カラム１２１ｅは、アルバムデータのページ数の情報が記憶されており、同じページ情報のオブジェクトが１ページに配置される。また、配置情報カラム１２１ｅに記憶される各情報は、１つのテンプレート（ページデータ）に配置する各オブジェクトの配置位置や、伸縮、向きなどの情報である。この配置情報カラム１２１ｅの配置位置と大きさの情報は、デジタルカメラ１１３から外部端子１０８を介して接続される表示部１１０に映像信号として出力する場合、画像データの解像度と出力信号解像度が変わる可能性がある。そこで、配置情報カラム１２１ｅの配置位置と大きさの情報は、取り扱う表示画面の解像度の座標値をＸ軸およびＹ軸共に画面全高または全幅をそれぞれ１００％としたときの、画面の左上を（０，０）、右下を（１００，１００）とした割合で保存されている。本実施形態においては、撮像時の画面縦横比を固定した場合を前提としているが、様々な表示系、例えば、画面縦横比１６：９のＨＤＴＶ（ハイビジョンデジタルテレビ）の解像度を持つ表示部１１０の場合に、これに対応させるためにピクセルの縦横比を情報として持ち、この情報をレイアウトの最適化に使用してもよい。また、フリーハンドお絵かきデータは、ユーザーがテンプレート上に自由に書き込みしたデータであり、お絵かき色情報（縦横のドット数）からなる情報であり、お絵かきの大きさ分のビットマップ形式のデータからなるものである。このビットマップ形式のデータは、横ドット数×縦ドット数のビットデータの２次元配列で定義され、お絵かきの大きさのドット１につき、１ビットが対応するデータである。ビットのデータが０���あれば透過、１であれば対応するドットを指定された色で塗りつぶす。このようなデータが「お絵かきデータ１」として管理されて、記憶部１０４のアルバムデータファイル１２１のオブジェクトデータカラム１２１ｃに記憶される。
【００１９】
本実施の形態のアルバムデータは、以上のようなデータ構造を有している。そこで、次に、このアルバムデータの作成及び編集工程について、説明すると、ユーザーがアルバム作成モードスイッチ１１１を押下すると、スイッチ制御部１０７は、撮影装置制御部１０２のシステムの動作をアルバム作成モードに移行し、撮影装置制御部１０２は、アルバム編集部１１４を起動する（ステップＳＴ３０）。アルバム作成モードに移行すると、アルバム編集部１１４は、図７（ａ）の編集アルバム選択画面１１７をタッチパネル付き表示部１０５に表示し（ステップＳＴ３１）、ユーザーにアルバム作成編集選択させる。編集アルバム選択画面１１７は、新規アルバム作成モード、又は既存アルバムを編集するためにアルバム番号の指定ができるようになっており、ユーザーは、タッチパネル付き表示部１０５からいずれかの選択を行うことができる。そこで、アルバム編集部１１４は、新規アルバム作成モードが選択されたか、又は既存のアルバム番号が指定されたか否かを確認し（ステップＳＴ３２）、新規アルバム作成モードが選択されたと判断すると、アルバム編集部１１４は、テンプレート選択画面１１８をタッチパネル付き表示部１０５に表示する（ステップＳＴ３３）。ユーザーは、タッチパネル付き表示部１０５に表示されたテンプレート選択画面１１８のリストから作りたいアルバムに近い１つ以上のテンプレートを選択することができる。アルバム編集部１１４は、選択されたテンプレートの種別を、記憶部１０４のアルバムデータファイル１２１のテンプレート種別データカラム１２１ｆに記憶し、次の工程（ステップＳＴ３５）へ進む。
【００２０】
ステップＳＴ３５に進むと、アルバム編集部１１４は、ステップＳＴ３３で選択されたテンプレート（ユーザーが選択したテンプレート）に、ユーザーが指定した画像データを配置する。そして、アルバム編集部１１４は、その画像データを配置したテンプレート１１６の１つ（アルバムデータの１ページであるページデータ）をタッチパネル付き表示部１０５に表示する共に、アルバム編集画面１１８（図８参照）をタッチパネル付き表示部１０５に表示する。アルバム編集部１１４は、ページデータの編集画面に移行し、ユーザーにより、ページデータの編集が行われると、その情報を記憶部１０４のアルバムデータファイル１２１に記憶して（ステップＳＴ３６）、アルバムデータ作成工程を終了する。ここでテンプレートのデータは、記憶部１０４に記憶されており、合成したい画像データに対するレイアウトの初期値である。アルバム編集画面１１８は、画像データの配置されたテンプレート１１６、すなわちページデータに、様々な編集を指定して、ユーザーが自由に編集できるモードである。
【００２１】
一方、上述のステップＳＴ３２で既存のアルバム番号が指定された場合には、アルバム編集部１１４は、指定されたアルバム番号のアルバムデータを記憶部１０４のアルバムデータファイル１２１を参照して読み込む（ステップＳＴ３７）。続いて、アルバム編集部１１４は、指定されたアルバム番号のアルバムデータの中で、編集すべきページデータが指定されたか否かを確認し（ステップＳＴ３９）、確認すると、上述のステップＳＴ３５に移行し、アルバム編集画面１１８に移行し、ユーザーにより編集作業が終了すると、その情報を記憶部１０４のアルバムデータファイル１２１に記憶（ステップＳＴ３７）して、アルバムデータ作成工程を終了する。以上の工程により、アルバムデータが作成、または編集される。この工程で作成されたアルバムデータに基づいて、画像データの閲覧をすることができる。
【００２２】
次に、アルバムデータを再生する場合の工程を簡単に説明する。ユーザーは、画像出力開始スイッチ１０９を押下して、アルバムデータの表示を指示する。この時、表示するアルバムデータの指定は、アルバムデータの編集と同様に、記憶部１０４に記憶されたアルバムファイル１２０のアルバム番号カラム１２０ａのアルバム番号のデータ又はタイトルデータカラム１２０ｂのアルバムのタイトルデータで指定できる。画像出力開始スイッチ１０９が押下されると、スイッチ制御部１０７は、システムの動作を撮影画像出力モードに移行させ、撮影装置制御部１０２が、指定されたアルバム番号のデータ又はタイトルデータに基づいて、記憶部１０４に記憶されたアルバムデータファイル１２１を参照し、タッチパネル付き表示部１０５又は外部端子１０８を介して表示部１１０で、そのアルバムデータファイル１２１に基づいて、ページデータ毎に画像データを表示してアルバムデータとテンプレートの合成画像の再生を行う。以上がアルバムデータの再生の工程である。
【００２３】
本実施形態の画像表示装置１００のアルバム編集部１１４は、上述したようにアルバムデータを構成する際に、記憶部１０４に予め記憶されているテンプレートを用いて、このテンプレートに複数の画像データを配置してアルバムデータの１ページ（ページデータ）を構成する。１つのテンプレートには、いくつか画像が配置される領域を有しており、この領域に画像データが配置できるようになっているが、このテンプレートにおいて、画像データが配置されていない領域（ブランク領域）を有する場合がある。この時、本実施形態の画像表示装置１００は、このテンプレートに既に配置されている画像データの属性を、配置されていないブランクの領域に表示して、どのような画像データをブランクの領域に配置すべきかをユーザーに提示する機能を有している。これにより、ユーザーは、その提示された属性を参照し、候補の画像データを選択することができる。または、アルバム編集部１１４が、そのブランクに配置すべき画像データをその他の画像データの属性から自動で選択して配置するような構成とすることもできる。
【００２４】
さらに、本実施形態のデジタルカメラ１１３は、タッチパネル付き表示部１０５に表示される合成画像がブランク領域を有する場合に以下の構成を備えることもできる。画像表示装置１００のアルバム編集部１１４は、タッチパネル付き表示部１０５に表示される合成画のブランク領域に、テンプレートに既に配置されている画像データの属性を表示する。そして、タッチパネル付き表示部１０５からユーザーによりブランク領域が選択されると、タッチパネル付き表示部１０５は、撮影装置制御部１０２のシステムの動作を撮影モードに移行し、撮像部１１２は、光学レンズで結像した被写体の像を撮像素子により検出し、検出された像を画像データとして出力し、その画像データをメモリ１０１に保存する。この時、画像処理部１０３が、撮像素子により検出された像の属性を解析すると、撮像部１０２は、その像の属性とテンプレートに既に配置されている画像データの属性とを比較し、その像がテンプレートに既に配置されている画像データの属性を有する場合には、その像の画像データをメモリ１０１から記憶部１０４に記憶する。この時、アルバム編集部１１４は、撮像部１０２が出力し、メモリ１０１に保存された画像データをブランクに配置し、合成画像をタッチパネル付き表示部１０５に表示する。デジタルカメラ１１３は、以上のような構成を有しており、ブランク領域を有する合成画像において、その合成画像を構成する複数の画像データの属性を有する像の画像データを自動的に撮像し、配置する。あるいは、ユーザーによりブランク領域が選択されると、タッチパネル付き表示部１０５は、デジタルカメラ１１３の撮影装置制御部１０２のシステムの動作を撮影モードに移行し、撮像部１１２は、光学レンズで結像した被写体の像を撮像素子により検出し、検出された像を画像データとして出力し、その画像データをメモリ１０１に保存すると共に、アルバム編集部１１４は、その画像データをブランク領域に自動的に配置する。さらにこの時、画像処理部１０３は、ブランク領域に配置された画像データの属性と合成画像を構成する他の画像データの属性とを比較して、その属性の差（類似度）を求め、ブランク領域に配置された画像データと他の画像データとの属性の類似度を表示するようにしてもよい。以下に、デジタルカメラ１１３の画像表示装置１００がブランク領域に属性を提示する工程について説明する。
【００２５】
（ブランク領域の候補画像データの属性提示）
テンプレート１１６の１つ（ページデータ）にブランク１１６ａ領域がある場合（図５参照）に、このブランク１１６ａ領域に配置すべき画像データの候補、具体的には色情報、日時情報、顔情報等の属性に基づく画像データの候補を提示する工程について図４を示して説明する。まず、アルバム編集部１１４は、テンプレート１１６に他の画像データが２枚以上配置されており、ブランク１１６ａ領域があるか否かの判断を行い（ステップＳＴ２０）、ブランク１１６ａがない場合にはこの工程を終了する。
【００２６】
一方、アルバム編集部１１４は、ページデータの少なくとも１つにブランク１１６ａ領域があると判断すると、このページデータを表示部に表示すると共に、このページデータを構成するテンプレート１１６に配置されている全ての画像データ（写真）が同色で信頼度が７０％以上であるか否かを、記憶部１０４に記憶されている写真解析情報ファイル１１５のオブジェクトＮｏデータカラム１１５ｂ、写真解析情報ファイル１１５の色分類情報データカラム１１５ｅ及び色分類の信頼度を色分類信頼度データ１１５ｆを参照して判断する（ステップＳＴ２１）。アルバム編集部１１４はこれらの画像データが同色でなく、または、信頼度が７０％以上無い場合、または、両方の条件を満たさないと判断すると、次のステップＳＴ２３に進む。一方、アルバム編集部１１４は、同色で信頼度が７０％以上であると判断すると、ステップＳＴ２２に進み、このページデータを構成するテンプレート１１６のブランク１１６ａの領域に色情報の表示、例えば、背景色を該当の色にしたり、該当する色を文字で表示してユーザーに提示する。
【００２７】
次に、ステップＳＴ２３に進み、アルバム編集部１１４は、写真解析情報ファイル１１５の日時情報カラム１１５ｃを参照し、このページデータに配置された全ての画像データ（写真）が、同一の撮影日であるか否かの判断を行い、同一撮影日でないと判断すると、次のステップＳＴ２５に進み、同一であると判断すると、ステップＳＴ２４に進み、色分類の場合と同様に、このページデータを構成するテンプレート１１６のブランク１１６ａの領域に日付情報を表示して、ユーザーに提示する。続いて、ステップＳＴ２５に進み、アルバム編集部１１４は、写真解析情報ファイル１１５の顔の割合データカラム１１５ｄを参照し、このページデータに配置された全ての画像データ（写真）において、顔の割合が１０％以上であるか否かを判断する。アルバム編集部１１４が、顔の割合が１０％以上であると判断すると、ステップＳＴ２６に進み、このページデータを構成するテンプレート１１６のブランク１１６ａ領域に顔のマークのアイコンを表示する。
【００２８】
一方、アルバム編集部１１４が、顔の割合が１０％以上ないと判断すると、そのまま終了する。このようにページデータを構成するテンプレート１１６の画像データの配置されていない領域であるブランク１１６ａに配置すべき候補画像データの提示を行うと、例えば、ページデータ（テンプレート１１６）のブランク１１６ａ領域は、図５に示すような候補画像データの表示されたブランク１１６ａ′領域となる。これにより、ユーザーは、このテンプレートのブランクには、どのような画像データが適するかが分かり、そのような画像データを配置することにより、アルバムデータを統一感のあるデータとすることができる。また、このようにブランクに配置すべき画像データの候補の属性が分かるので、アルバム編集部１１４は、これらの属性等を有する候補の画像データを写真解析情報ファイル１１５のデータを参照して、自動的に画像データを選択するようにしてもよい。このような構成とすれば、自動で統一感のあるアルバムデータの作成が可能であり、ユーザーに取って、便利である。
【００２９】
本実施形態の画像表示装置１００によれば、アルバムデータを作成する際に、そのアルバムデータの１ページを構成するテンプレート（ページデータ）にブランク領域（画像データの配置されていない領域）がある場合に、テンプレートに配置された画像データの属性から、ブランクに配置すべき画像データをユーザーに通知するので、ユーザーが自ら、ブランクの画像データを選択する場合においても、煩雑でなく、統一感のあるアルバムデータを容易に作成することができる。また、画像データの属性は、画像データを撮像する際に行われ、ブランクに配置する画像データを選択する際に、同様な属性を有する画像データを自動的に選択してテンプレートに配置することができる。したがって、統一感のあるアルバムデータが容易に作成できる。
【図面の簡単な説明】
【００３０】
【図１】本実施形態の画像表示装置を有するデジタルカメラの構成を示すブロック図を示す
【図２】記憶部に記憶される写真解析情報ファイルのデータ構造を示すデータ構造図である。
【図３】画像解析処理の工程を示すフローチャートである。
【図４】ブランクの候補画像データの提示の工程を示すフローチャートである。
【図５】ブランクのあるテンプレートと候補画像表示の一例を示す画面構成図である。
【図６】アルバムデータ作成工程を示すフローチャートである。
【図７】アルバムデータ作成の際の表示画面の一例であり（ａ）編集アルバム選択画面の構成図であり、（ｂ）テンプレート選択画面の構成図である
【図８】アルバム編集画面の構成図である。
【図９】アルバムファイルのデータ構造を示すデータ構造図である。
【図１０】アルバムデータファイルのデータ構造を示すデータ構造図である。
【符号の説明】
【００３１】
１００  画表示装置    １０３  画像処理部    １０４  記憶部
１１０  表示部    １１４  アルバム編集部
【図１】
2010134216.tif 000003
【図２】
2010134216.tif 000004
【図３】
2010134216.tif 000005
【図４】
2010134216.tif 000006
【図５】
2010134216.tif 000007
【図６】
2010134216.tif 000008
【図７】
2010134216.tif 000009
【図８】
2010134216.tif 000010
【図９】
2010134216.tif 000011
【図１０】
2010134216.tif 000012